(57)【特許請求の範囲】
【請求項１】
冷媒としてハイドロフルオロカーボンを使用し、横型回転圧縮機の潤滑油として前記冷媒と相互溶解性のない油を使用するとともに、前記横型回転圧縮機の長手方向の略中央で、給油機構部に直交するようにシェル胴部の全周に亘ってベルト状ヒータを巻き付けた自動販売機の冷却装置。
【請求項２】
ベルト状ヒータへの通電を制御するヒータ制御手段と、外気温度を検知する外気温検知手段と、前記外気温検知手段により検知した外気温度が所定温度より低い場合に前記ヒータ制御手段に前記ベルト状ヒータへの通電を行わせる演算処理部とを備えたことを特徴とする請求項１記載の自動販売機の冷却装置。
【請求項３】
商品収納室の温度を検知する庫内温度検知手段と、庫内温度検知手段が検知した商品収納室温度に基づいて横型回転圧縮機を制御する圧縮機制御手段と、ベルト状ヒータへの通電を制御するヒータ制御手段と、外気温度を検知する外気温検知手段と、前記外気温検知手段により検知した外気温度が所定温度より低い場合であって、前記圧縮機制御手段が前記横型回転圧縮機を停止させている時に前記ヒータ制御手段に前記ベルト状ヒータへの通電を行わせる演算処理部とを備えたことを特徴とする請求項１記載の自動販売機の冷却装置。
【請求項４】
商品収納室の温度を検知する庫内温度検知手段と、庫内温度検知手段が検知した商品収納室温度に基づいて横型回転圧縮機を制御する圧縮機制御手段と、前記横型回転圧縮機が停止した場合計数を開始するタイマーと、ベルト状ヒータへの通電を制御するヒータ制御手段と、外気温度を検知する外気温検知手段と、前記外気温検知手段により検知した外気温度が所定温度より低い場合であって、前記圧縮機制御手段が前記横型回転圧縮機を停止させて、タイマーにより一定時間を超えた時に前記ヒータ制御手段に前記ベルト状ヒータへの通電を行わせる演算処理部とを備えたことを特徴とする請求項１記載の自動販売機の冷却装置。
【請求項５】
商品収納室の温度を検知する庫内温度検知手段と、庫内温度検知手段が検知した商品収納室温度に基づいて横型回転圧縮機を制御する圧縮機制御手段と、ベルト状ヒータへの通電を制御するヒータ制御手段と、前記ベルト状ヒータの通電時間の計数するタイマーと、外気温度を検知する外気温検知手段と、前記外気温検知手段により検知した外気温度が所定温度より低い場合であって、タイマーにより前記ヒータ制御手段に前記ベルト状ヒータへの通電を行わせる演算処理部とを備えたことを特徴とする請求項１記載の自動販売機の冷却装置。
【請求項６】
複数商品収納室と、前記複数商品収納室に対応した温度を検知する複数庫内温度検知手段と、庫内温度検知手段が検知した商品収納室温度に基づいてベルト状ヒータへの通電を制御するヒータ制御手段と、外気温度を検知する外気温検知手段と、前記外気温検知手段により検知した外気温度が所定温度より低い場合であって、前記庫内温度検知手段が検知した商品収納室数に応じて前記ヒータ制御手段に前記ベルト状ヒータへの通電を行わせる演算処理部とを備えたことを特徴とする請求項１記載の自動販売機の冷却装置。
【発明の詳細な説明】
【０００１】
【発明の属する技術分野】
本発明は商品収納室を冷却して商品を販売するようにした自動販売機の冷却装置に関するものである。
【０００２】
【従来の技術】
従来、自動販売機の一般的なものとしては例えば特開平５−４６８６１号公報に示されているように、冷却装置の冷媒と圧縮機の潤滑油は相互溶解性のあるものを使用してきた。このため、圧縮機内では、冷媒は潤滑油に溶け込んでいた。
【０００３】
【発明が解決しようとする課題】
しかしながら、上記従来の構成では、冷媒としてハイドロフルオロカーボンを使用し、圧縮機の潤滑油として冷媒と相互溶解性のない油を使用した場合に圧縮機内の冷媒と潤滑油が分離し、冷媒が潤滑油の下部に溜まる。この時圧縮機内の給油機構部より液冷媒を吸込み圧縮機摺動部の潤滑油を液冷媒が洗い流す状態となり、摺動部摩耗を促進させ、圧縮機の寿命さらには冷却装置の寿命を短くしてしまうといった課題を有していた。
【０００４】
本発明は上記の課題を解決するもので、極低温時の圧縮機内の給油機構部より液冷媒の吸込みをなくすことにより、圧縮機の寿命低下を防止し、冷却装置の信頼性を高めたを自動販売機の冷却装置を提供することを目的とする。
【０００５】
【課題を解決するための手段】
この目的を達成するため本発明は、横型回転圧縮機の長手方向の略中央で、給油機構部に直交するようにシェル胴部の全周に亘ってベルト状ヒータを備えている。
【０００６】
これにより、横型回転圧縮機の温度が効率的に上昇することで、液冷媒は横型回転圧縮機内に溜まりにくくなり、このため給油機構部より液冷媒の吸込みがなくなり、横型回転圧縮機の寿命低下を防止し、冷却装置の信頼性を高めることができる。
【０００７】
また、横型回転圧縮機の中央付近にベルト状ヒータを設け、低外気温時のみベルト状ヒータを通電するという構成を備えている。
【０００８】
これにより、高外気温時の横型回転圧縮機の温度上昇を低減するとともに給油機構部より液冷媒の吸込みがなくなり、横型回転圧縮機の寿命低下を防止し、冷却装置の信頼性を高めることができる。
【０００９】
また、横型回転圧縮機の中央付近にベルト状ヒータを設け、低外気温時に横型回転圧縮機が停止した場合にヒータを通電するという構成を備えている。
【００１０】
これにより、高外気温時の横型回転圧縮機の温度上昇を低減するとともに、低外気温時の横型回転圧縮機が停止して横型回転圧縮機から発生する熱がなくなるとベルト状ヒータを通電させるため、省エネルギーを図ることができるうえ、給油機構部より液冷媒の吸込みがなくなり、横型回転圧縮機の寿命低下を防止し、冷却装置の信頼性を高めることができる。
【００１１】
また、横型回転圧縮機の中央付近にベルト状ヒータを設け、予め設定した低外気温時に横型回転圧縮機が停止して、予め設定した時間を超えた場合にベルト状ヒータを通電するという構成を備えている。
【００１２】
これにより、高外気温時の横型回転圧縮機の温度上昇を低減するとともに、予め設定した低外気温時の横型回転圧縮機が停止して予め設定した時間を超えた場合横型回転圧縮機の温度が低くなるとベルト状ヒータを通電させるため、省エネルギーを図ることができるうえ、給油機構部より液冷媒の吸込みがなくなり、横型回転圧縮機の寿命低下を防止し、冷却装置の信頼性を高めることができる。
【００１３】
また、横型回転圧縮機の中央付近にベルト状ヒータを設け、予め設定された外気温時に予め設定した時間ベルト状ヒータを通電するという構成を備えている。
【００１４】
これにより、高外気温時の横型回転圧縮機の温度上昇を低減するとともに予め設定された外気温時に予め設定した時間ベルト状ヒータを通電させるため横型回転圧縮機の温度が安定し、給油機構部より液冷媒の吸込みがなくなり、横型回転圧縮機の寿命低下を防止し、冷却装置の信頼性を高めることができる。
【００１５】
また、横型回転圧縮機の中央付近にベルト状ヒータを設け、予め設定された外気温時に予め設定した商品収納室数になるとベルト状ヒータを通電するという構成を備えている。
【００１６】
これにより、高外気温時の横型回転圧縮機の温度上昇を低減するとともに予め設定された外気温時に予め設定した時間ベルト状ヒータを通電させるため横型回転圧縮機の温度が安定し、給油機構部より液冷媒の吸込みがなくなり、横型回転圧縮機の寿命低下を防止し、冷却装置の信頼性を高めることができる。
【００１７】
【発明の実施の形態】
本発明の請求項１に記載の発明は、冷媒としてハイドロフルオロカーボンを使用し、横型回転圧縮機の潤滑油として前記冷媒と相互溶解性のない油を使用するとともに、前記横型回転圧縮機の長手方向の略中央で、給油機構部に直交するようにシェル胴部の全周に亘ってベルト状ヒータを巻き付けたことにより、横型回転圧縮機の温度が効率的に上昇することで、液冷媒は横型回転圧縮機内に溜まりにくくなり、このため給油機構部より液冷媒の吸込みがなくなり、横型回転圧縮機の寿命低下を防止し、冷却装置の信頼性を高めることができる。
【００１８】
請求項２に記載の発明は、ベルト状ヒータへの通電を制御するヒータ制御手段と、外気温度を検知する外気温検知手段と、前記外気温検知手段により検知した外気温度が所定温度より低い場合に前記ヒータ制御手段に前記ベルト状ヒータへの通電を行わせる演算処理部とを備えたことにより、省エネルギーを図ることができるともに給油機構部より液冷媒の吸込みがなくなり、横型回転圧縮機の寿命低下を防止し、冷却装置の信頼性を高めることができる。
【００１９】
請求項３に記載の発明は、商品収納室の温度を検知する庫内温度検知手段と、庫内温度検知手段が検知した商品収納室温度に基づいて横型回転圧縮機を制御する圧縮機制御手段と、ベルト状ヒータへの通電を制御するヒータ制御手段と、外気温度を検知する外気温検知手段と、前記外気温検知手段により検知した外気温度が所定温度より低い場合であって、前記圧縮機制御手段が前記横型回転圧縮機を停止させている時に前記ヒータ制御手段に前記ベルト状ヒータへの通電を行わせる演算処理部とを備えたことにより、  低外気温時の横型回転圧縮機が停止して横型回転圧縮機から発生する熱がなくなるとヒータを通電させるため、省エネルギーを図ることができるうえ、給油機構部より液冷媒の吸込みがなくなり、横型回転圧縮機の寿命低下を防止し、冷却装置の信頼性を高めることができる。
【００２０】
請求項４に記載の発明は、商品収納室の温度を検知する庫内温度検知手段と、庫内温度検知手段が検知した商品収納室温度に基づいて横型回転圧縮機を制御する圧縮機制御手段と、前記横型回転圧縮機が停止した場合計数を開始するタイマーと、ベルト状ヒータへの通電を制御するヒータ制御手段と、外気温度を検知する外気温検知手段と、前記外気温検知手段により検知した外気温度が所定温度より低い場合であって、前記圧縮機制御手段が前記横型回転圧縮機を停止させて、タイマーにより一定時間を超えた時に前記ヒータ制御手段に前記ベルト状ヒータへの通電を行わせる演算処理部とを備えたことにより、予め設定した低外気温時の横型回転圧縮機が停止して予め設定した時間を超えた場合横型回転圧縮機の温度が低くなるとヒータを通電させるため、省エネルギーを図ることができるうえ、給油機構部より液冷媒の吸込みがなくなり、横型回転圧縮機の寿命低下を防止し、冷却装置の信頼性を高めることができる。
【００２１】
請求項5に記載の発明は、商品収納室の温度を検知する庫内温度検知手段と、庫内温度検知手段が検知した商品収納室温度に基づいて横型回転圧縮機を制御する圧縮機制御手段と、ベルト状ヒータへの通電を制御するヒータ制御手段と、前記ベルト状ヒータの通電時間の計数するタイマーと、外気温度を検知する外気温検知手段と、前記外気温検知手段により検知した外気温度が所定温度より低い場合であって、タイマーにより前記ヒータ制御手段に前記ベルト状ヒータへの通電を行わせる演算処理部とを備えたことにより、予め設定された外気温時に予め設定した時間ヒータを通電させるため横型回転圧縮機の温度が安定し、給油機構部より液冷媒の吸込みがなくなり横型回転、圧縮機の寿命低下を防止し、冷却装置の信頼性を高めることができる。
【００２２】
請求項６に記載の発明は、複数商品収納室と、前記複数商品収納室に対応した温度を検知する複数庫内温度検知手段と、庫内温度検知手段が検知した商品収納室温度に基づいてベルト状ヒータへの通電を制御するヒータ制御手段と、外気温度を検知する外気温検知手段と、前記外気温検知手段により検知した外気温度が所定温度より低い場合であって、前記庫内温度検知手段が検知した商品収納室数に応じて前記ヒータ制御手段に前記ベルト状ヒータへの通電を行わせる演算処理部とを備えたことにより、予め設定された外気温時に予め設定した時間ヒータを通電させるため横型回転圧縮機の温度が安定し、給油機構部より液冷媒の吸込みがなくなり横型回転、圧縮機の寿命低下を防止し、冷却装置の信頼性を高めることができる。
【００２３】
【実施例】
以下、本発明による自動販売機の冷却装置の実施例について、図面を参照しながら説明する。
【００２４】
（実施例１）
図１は本発明の実施例による自動販売機の冷却装置の正面図、図２は同実施例による自動販売機の冷却装置の電気回路図である。
【００２５】
図１、２において、１は自動販売機の本体、２は商品を収納した商品収納装置、３は断熱壁よりなる商品収納室であり、商品収納装置２を複数備えている。４は収納室３を密閉する断熱壁を備えた主扉である。５は横型回転圧縮機であり、横型回転圧縮機５、凝縮器６、減圧装置７、蒸発器８を順次接続し、冷却装置９を構成している。
【００２６】
また、横型回転圧縮機５の内部には、潤滑油１０と潤滑油１０を横型回転圧縮機５全体に給油する給油機構部１１を設けてある。さらに横型回転圧縮機５の内部の上部には気化した冷媒１２Ａと潤滑油１０の下部には液化した冷媒１２Ｂが存在する。
【００２７】
１３は冷却装置９で冷却された空気の送風ファンである。１４は収納室３の温度により冷却装置９の運転を制御するサーモスタットで、商品収納装置２の前部に設けられている。
【００２８】
１５，１６は電源ラインであり、送風ファン１３は両端共電源ライン１５，１６に接続されている。サーモスタット１４の一端は電源ライン１２、他端は横型回転圧縮機５に接続され、横型回転圧縮機５の他端は電源ライン１６に接続されている。
【００２９】
１７は横型回転圧縮機５の長手方向の略中央のシェル胴部に設けたベルト状ヒータである。ベルト状ヒータ１７は両端共電源ライン１５，１６に接続されている。
【００３０】
以上のように構成された自動販売機の冷却装置について図１、図２でその動作を説明する。
【００３１】
送風ファンは連続で動作している。サーモスタット１４が閉じると、前記横型回転圧縮機５が動作し庫内を冷却する。
【００３２】
ベルト状ヒータ１７は連続で動作している。このため横型回転圧縮機５の温度が上昇している。サーモスタット１４が閉じると、横型回転圧縮機５が動作し庫内３を冷却する。
【００３３】
この時、横型回転圧縮機５の内側では、蒸発器８より、横型回転圧縮機５内に吸込まれた冷媒１２は液化せず、横型回転圧縮機５内に溜まりにくくなる。
【００３４】
以上のように、本実施例の自動販売機の冷却装置は、このため給油機構部より液冷媒の吸込みがなくなり、横型回転圧縮機の寿命低下を防止し、冷却装置の信頼性を高めることができる。
【００３５】
（実施例２）
次に、本発明の実施例２の自動販売機の冷却装置について、図面を参照しながら説明する。実施例１と同一の構成については、その詳細な説明は省略する。
【００３６】
図３は本発明の実施例２による自動販売機の冷却装置の正面図、図４は同実施例の自動販売機の冷却装置のブロック図、図５は同実施例の自動販売機の冷却装置の動作を示すフローチャートである。
【００３７】
図３、４において、１８は収納室３の温度により冷却装置９の運転を制御する庫内温度制御手段で、商品収納装置２の前部に設けられている。１９は主扉４の下部に設けた外気温度を検知するための外気温度検知手段である。
【００３８】
２０は演算処理部で予め設定された温度データと外気温度検知手段１９で検知した温度とを比較演算する。２１はヒータ制御手段で演算処理部２０の信号により、ベルト状ヒータ１７の通電を行う。
【００３９】
以上のように構成された自動販売機の冷却装置について、その動作を図５のフローチャートに従い説明する。
【００４０】
予め、ベルト状ヒータ１７の通電温度データＣを演算処理部２０に設定しておく（ＳＴＥＰ１）。外気温度検知手段１９より現在の外気温度Ｂを演算処理部２０に読み込む（ＳＴＥＰ２）。演算処理部２０で通電温度データＣと現在の外気温度Ｂを比較し（ＳＴＥＰ３）、現在の外気温度Ｂが低い場合はヒータ制御手段２１によりベルト状ヒータ１７を通電させる（ＳＴＥＰ４）。また、現在の外気温度Ｂが高い場合はヒータ制御手段２１によりベルト状ヒータ１７を停止する。
【００４１】
以上のように、本実施例の自動販売機の冷却装置は、省エネルギーを図ることができるとともに給油機構部より液冷媒の吸込みがなくなり、横型回転圧縮機の寿命低下を防止し、冷却装置の信頼性を高めることができる。
【００４２】
（実施例３）
次に、本発明の実施例３の自動販売機の冷却装置について、図面を参照しながら説明する。実施例１〜２と同一の構成については、その詳細な説明は省略する。
【００４３】
図６は同実施例の自動販売機の冷却装置のブロック図、図７は同実施例の自動販売機の冷却装置の動作を示すフローチャートである。
【００４４】
図６において、２２は圧縮機制御手段で、演算処理部２０の信号により、横型回転圧縮機５の開閉を行う。
【００４５】
以上のように構成された自動販売機の冷却装置について、その動作を、図８のフローチャートに従い説明する。
【００４６】
予め、ベルト状ヒータ１７の通電温度データＣを演算処理部２０に設定しておく（ＳＴＥＰ１）。外気温度検知手段１９より現在の外気温度Ｂを演算処理部２０に読み込む（ＳＴＥＰ２）。演算処理部２０で通電温度データＣと現在の外気温度Ｂを比較する（ＳＴＥＰ３）。現在の外気温度Ｂが高い場合はヒータ制御手段２１によりベルト状ヒータ１７を停止し、また、現在の外気温度Ｂが低い場合は横型回転圧縮機の動作を確認する（ＳＴＥＰ４）。現在横型回転圧縮機が動作中の場合はヒータ制御手段２１によりベルト状ヒータ１７を停止し、停止中の場合はヒータ制御手段２１によりベルト状ヒータ１７を通電する（ＳＴＥＰ５）。
【００４７】
以上のように、本実施例の自動販売機の冷却装置は、低外気温時の横型回転圧縮機が停止して横型回転圧縮機から発生する熱がなくなるとベルト状ヒータを通電させるため、省エネルギーを図ることができるうえ、給油機構部より液冷媒の吸込みがなくなり、横型回転圧縮機の寿命低下を防止し、冷却装置の信頼性を高めることができる。
【００４８】
（実施例４）
次に、本発明の実施例４の自動販売機の冷却装置について、図面を参照しながら説明する。実施例１〜３と同一の構成については、その詳細な説明は省略する。
【００４９】
図８は同実施例の自動販売機の冷却装置のブロック図、図９は同実施例の自動販売機の冷却装置の動作を示すフローチャートである。
【００５０】
図８において、２３はタイマーで、横型回転圧縮機５が停止してからの時間を計数し、演算処理部２０で予め設定された時間とタイマー２３で検知した時間とを比較演算する。
【００５１】
以上のように構成された自動販売機の冷却装置について、その動作を、図９のフローチャートに従い説明する。
【００５２】
予め、ベルト状ヒータ１７の通電温度データＣを演算処理部２０に設定しておく（ＳＴＥＰ１）。外気温度検知手段１９より現在の外気温度Ｂを演算処理部２０に読み込む（ＳＴＥＰ２）。演算処理部２０で通電温度データＣと現在の外気温度Ｂを比較する（ＳＴＥＰ３）。現在の外気温度Ｂが高い場合はヒータ制御手段２１によりベルト状ヒータ１７を停止し、また、現在の外気温度Ｂが低い場合は横型回転圧縮機の動作を確認する（ＳＴＥＰ４）。
【００５３】
現在横型回転圧縮機が動作中の場合はヒータ制御手段２１によりベルト状ヒータ１７を停止し、停止の場合はヒータ制御手段２１によりベルト状ヒータ１７を通電させるための時間Ｄを演算処理部２０に設定しておく（ＳＴＥＰ５）。タイマー２３にて時間Ｅを読み込む（ＳＴＥＰ６）。演算処理部２０でヒータ制御手段２１によりベルト状ヒータ１７を通電させるための時間Ｄと現在の時間Ｅを比較する（ＳＴＥＰ７）。
【００５４】
現在の時間Ｅが短い場合はヒータ制御手段２１によりベルト状ヒータ１７を停止し、現在の時間Ｅが長い場合はヒータ制御手段２１によりベルト状ヒータ１７を通電する（ＳＴＥＰ８）。
【００５５】
以上のように、本実施例の自動販売機の冷却装置は、予め設定した低外気温時の横型回転圧縮機が停止して予め設定した時間を超えた場合横型回転圧縮機の温度が低くなるとベルト状ヒータを通電させるため、省エネルギーを図ることができるうえ、給油機構部より液冷媒の吸込みがなくなり、横型回転圧縮機の寿命低下を防止し、冷却装置の信頼性を高めることができる。
【００５６】
（実施例５）
次に、本発明の実施例５の自動販売機の冷却装置について、図面を参照しながら説明する。実施例１〜４と同一の構成については、その詳細な説明は省略する。
【００５７】
図１０は同実施例の自動販売機の冷却装置のブロック図、図１１は同実施例の自動販売機の冷却装置の動作を示すフローチャートである。
【００５８】
図１０において、２３はタイマーで、ベルト状ヒータ１７の通電−停止時間を計数し、外気温度検知手段１９で検知した温度とで、演算処理部２０で予め設定された通電−停止時間時間とタイマー２３で検知した時間とを比較演算する。
【００５９】
以上のように構成された自動販売機の冷却装置について、その動作を、図１１のフローチャートに従い説明する。
【００６０】
予め、ベルト状ヒータ１７の通電温度データＣを演算処理部２０に設定しておく（ＳＴＥＰ１）。外気温度検知手段１９より現在の外気温度Ｂを演算処理部２０に読み込む（ＳＴＥＰ２）。演算処理部２０で通電温度データＣと現在の外気温度Ｂを比較する（ＳＴＥＰ３）。
【００６１】
現在の外気温度Ｂが高い場合はヒータ制御手段２１によりベルト状ヒータ１７を停止し、また、現在の外気温度Ｂが低い場合はヒータ制御手段２１によりベルト状ヒータ１７の通電−停止時間を設定する（ＳＴＥＰ４）。ヒータ制御手段２１によりベルト状ヒータ１７を通電する（ＳＴＥＰ５）。
【００６２】
以上のように、本実施例の自動販売機の冷却装置は、予め設定された外気温時に予め設定した時間ベルト状ヒータを通電させるため、横型回転圧縮機の温度が安定し、給油機構部より液冷媒の吸込みがなくなり、横型回転圧縮機の寿命低下を防止し、冷却装置の信頼性を高めることができる。
【００６３】
（実施例６）
次に、本発明の実施例６の自動販売機の冷却装置について、図面を参照しながら説明する。実施例１〜５と同一の構成については、その詳細な説明は省略する。
【００６４】
図１２は本発明の実施例による自動販売機の冷却装置の正面図、図１３は同実施例の自動販売機の冷却装置のブロック図、図１４は同実施例の自動販売機の冷却装置の動作を示すフローチャートである。
【００６５】
図１２、１３において、１８Ａ、１８Ｂは、収納室３Ａ，３Ｂの温度により冷却装置９の運転を制御する庫内温度制御手段で、商品収納装置２の前部に設けられている。２０は演算処理部で、予め設定された冷却している収納数と外気温度検知手段１９で検知した温度とを比較演算する。２１はヒータ制御手段で、演算処理部２０の信号により、ベルト状ヒータ１７の通電を行う。
【００６６】
以上のように構成された自動販売機の冷却装置について、その動作を、図１４のフローチャートに従い説明する。
【００６７】
予め、ベルト状ヒータ１７の通電温度データＣを演算処理部２０に設定しておく（ＳＴＥＰ１）。外気温度検知手段１９より現在の外気温度Ｂを演算処理部２０に読み込む（ＳＴＥＰ２）。演算処理部２０で通電温度データＣと現在の外気温度Ｂを比較する（ＳＴＥＰ３）。
【００６８】
現在の外気温度Ｂが高い場合はヒータ制御手段２１によりベルト状ヒータ１７を停止し、また、ベルト状ヒータ１７の通電するための冷却している収納室３の数Ｆを演算処理部２０に設定しておく（ＳＴＥＰ４）。演算処理部２０で現在冷却している収納室３の数データＧを読み込む（ＳＴＥＰ５）。
【００６９】
現在収納室３の数データＧが多い場合はヒータ制御手段２１によりベルト状ヒータ１７を停止し（ＳＴＥＰ６）、冷却している収納室３の数データＧが少ない場合はヒータ制御手段２１によりベルト状ヒータ１７を通電する（ＳＴＥＰ７）。
【００７０】
以上のように、本実施例の自動販売機の冷却装置は、低外気温時の冷却している収納室の数が少ない場合にベルト状ヒータを通電させるため、省エネルギーを図ることができるうえ、給油機構部より液冷媒の吸込みがなくなり、横型回転圧縮機の寿命低下を防止し、冷却装置の信頼性を高めることができる。
【００７１】
【発明の効果】
以上の説明のように本発明によれば、冷媒としてハイドロフルオロカーボンを使用し、横型回転圧縮機の潤滑油として前記冷媒と相互溶解性のない油を使用するとともに、前記横型回転圧縮機の長手方向の略中央のシェル胴部にベルト状ヒータを巻き付けたことにより、横型回転圧縮機の温度を上昇させることにより、液冷媒は横型回転圧縮機内に溜まりにくくなり、このため給油機構部より液冷媒の吸込みがなくなり、横型回転圧縮機の寿命低下を防止し、冷却装置の信頼性を高めることができる。
【００７２】
また、ベルト状ヒータへの通電を制御するヒータ制御手段と、外気温度を検知する外気温検知手段と、前記外気温検知手段により検知した外気温度が所定温度より低い場合に前記ヒータ制御手段に前記ベルト状ヒータへの通電を行わせる演算処理部とを備えたことにより、省エネルギーを図ることができるともに給油機構部より液冷媒の吸込みがなくなり、横型回転圧縮機の寿命低下を防止し、冷却装置の信頼性を高めることができる。
【００７３】
また、商品収納室の温度を検知する庫内温度検知手段と、庫内温度検知手段が検知した商品収納室温度に基づいて横型回転圧縮機を制御する圧縮機制御手段と、ベルト状ヒータへの通電を制御するヒータ制御手段と、外気温度を検知する外気温検知手段と、前記外気温検知手段により検知した外気温度が所定温度より低い場合であって、前記圧縮機制御手段が前記横型回転圧縮機を停止させている時に前記ヒータ制御手段に前記ベルト状ヒータへの通電を行わせる演算処理部とを備えたことにより、低外気温時の横型回転圧縮機が停止して横型回転圧縮機から発生する熱がなくなるとヒータを通電させるため、省エネルギーを図ることができるうえ、給油機構部より液冷媒の吸込みがなくなり、横型回転圧縮機の寿命低下を防止し、冷却装置の信頼性を高めることができる。
【００７４】
また、商品収納室の温度を検知する庫内温度検知手段と、庫内温度検知手段が検知した商品収納室温度に基づいて横型回転圧縮機を制御する圧縮機制御手段と、前記横型回転圧縮機が停止した場合計数を開始するタイマーと、ベルト状ヒータへの通電を制御するヒータ制御手段と、外気温度を検知する外気温検知手段と、前記外気温検知手段により検知した外気温度が所定温度より低い場合であって、前記圧縮機制御手段が前記横型回転圧縮機を停止させて、タイマーにより一定時間を超えた時に前記ヒータ制御手段に前記ベルト状ヒータへの通電を行わせる演算処理部とを備えたことにより、予め設定した低外気温時の横型回転圧縮機が停止して予め設定した時間を超えた場合横型回転圧縮機の温度が低くなるとヒータを通電させるため、省エネルギーを図ることができるうえ、給油機構部より液冷媒の吸込みがなくなり、横型回転圧縮機の寿命低下を防止し、冷却装置の信頼性を高めることができる。
【００７５】
また、商品を冷却保存する商品収納室を設けた本体と、前記商品収納室温度を検知する庫内温度検知手段と、横型回転圧縮機と凝縮器と減圧装置と蒸発器とを順次接続した冷却装置と、前記横型回転圧縮機を制御する圧縮機制御手段と、前記横型回転圧縮機が停止した場合計数を開始するタイマーと、冷却装置の冷媒としてハイドロフルオロカーボンを使用し、横型回転圧縮機の潤滑油として冷媒と相互溶解性のない油を使用するとともに、前記横型回転圧縮機の中央付近に設けたベルト状ヒータと、前記ベルト状ヒータを通電−停止するヒータ制御手段と、外気温度を検知する外気温検知手段と、予め設定された外気温度データとタイマーデータを比較演算する演算処理部により、前記外気温検知手段で予め設定された外気温度より低く前記横型回転圧縮機が停止し、前記タイマーで計数した数値が予め設定した数値を超えた場合、前記ベルト状ヒータを通電することを特徴とし、予め設定した低外気温時の横型回転圧縮機が停止して予め設定した時間を超えた場合横型回転圧縮機の温度が低くなるとヒータを通電させるため、省エネルギーを図ることができるうえ、給油機構部より液冷媒の吸込みがなくなり、横型回転圧縮機の寿命低下を防止し、冷却装置の信頼性を高めることができる。
【００７６】
また、商品収納室の温度を検知する庫内温度検知手段と、庫内温度検知手段が検知した商品収納室温度に基づいて横型回転圧縮機を制御する圧縮機制御手段と、ベルト状ヒータへの通電を制御するヒータ制御手段と、前記ベルト状ヒータの通電時間の計数するタイマーと、外気温度を検知する外気温検知手段と、前記外気温検知手段により検知した外気温度が所定温度より低い場合であって、タイマーにより前記ヒータ制御手段に前記ベルト状ヒータへの通電を行わせる演算処理部とを備えたことにより、予め設定された外気温時に予め設定した時間ヒータを通電させるため横型回転圧縮機の温度が安定し、給油機構部より液冷媒の吸込みがなくなり横型回転、圧縮機の寿命低下を防止し、冷却装置の信頼性を高めることができる。
【００７７】
また、複数商品収納室と、前記複数商品収納室に対応した温度を検知する複数庫内温度検知手段と、庫内温度検知手段が検知した商品収納室温度に基づいてベルト状ヒータへの通電を制御するヒータ制御手段と、外気温度を検知する外気温検知手段と、前記外気温検知手段により検知した外気温度が所定温度より低い場合であって、前記庫内温度検知手段が検知した商品収納室数に応じて前記ヒータ制御手段に前記ベルト状ヒータへの通電を行わせる演算処理部とを備えたことにより、予め設定された外気温時に予め設定した時間ヒータを通電させるため横型回転圧縮機の温度が安定し、給油機構部より液冷媒の吸込みがなくなり横型回転、圧縮機の寿命低下を防止し、冷却装置の信頼性を高めることができる。
【図面の簡単な説明】
【図１】本発明の実施例1による自動販売機の冷却装置の正面図
【図２】同実施例の自動販売機の冷却装置の電気回路図
【図３】本発明の実施例２による自動販売機の冷却装置の正面図
【図４】同実施例の自動販売機の冷却装置の制御系の構成を示すブロック図
【図５】同実施例の自動販売機の冷却装置の動作を示すフローチャート
【図６】本発明の実施例３による自動販売機の冷却装置の制御系の構成を示すブロック図
【図７】同実施例の自動販売機の冷却装置の動作を示すフローチャート
【図８】本発明の実施例４による自動販売機の冷却装置の制御系の構成を示すブロック図
【図９】同実施例の自動販売機の冷却装置の動作を示すフローチャート
【図１０】本発明の実施例５による自動販売機の冷却装置の制御系の構成を示すブロック図
【図１１】同実施例の自動販売機の冷却装置の動作を示すフローチャート
【図１２】本発明の実施例６による自動販売機の冷却装置の正面図
【図１３】同実施例の自動販売機の冷却装置の動作を示す制御系の構成を示すブロック図
【図１４】同実施例の自動販売機の冷却装置の動作を示すフローチャート
【符号の説明】
３，３Ａ，３Ｂ  商品収納室
５    横型回転圧縮機
１０  潤滑油
１１  給油機構部
１２Ａ，１２Ｂ  冷媒
１７  ベルト状ヒータ
１８，１８Ａ，１８Ｂ  庫内温度検知手段
１９  外気温度検知手段
２０  演算処理部
２１  ヒータ制御手段
２２  圧縮機制御手段
２３  タイマー
【図１】
0004411704.tif 000002
【図２】
0004411704.tif 000003
【図３】
0004411704.tif 000004
【図４】
0004411704.tif 000005
【図５】
0004411704.tif 000006
【図６】
0004411704.tif 000007
【図７】
0004411704.tif 000008
【図８】
0004411704.tif 000009
【図９】
0004411704.tif 000010
【図１０】
0004411704.tif 000011
【図１１】
0004411704.tif 000012
【図１２】
0004411704.tif 000013
【図１３】
0004411704.tif 000014
【図１４】
0004411704.tif 000015